(57)【要約】【課題】単純な構成で読取光学系の周辺光量減少補正が可能な照明装置及び画像読取装置を提供する。【解決手段】透明部材に保持される原稿を照射する照明装置であって、一方向に長尺な形状の面発光光源が、長尺方向に沿って複数の面発光領域に分割された光源を備える。複数の面発光領域は、単位面積当たりの明るさが、長尺方向の中央部に位置する面発光領域（第０領域）がもっとも暗く、端部に近くなるに従い明るくなり、かつ、少なくとも一箇所の隣り合う二つの面発光領域において、端部側に位置する面発光領域から原稿を照射する面積が、中央部側に位置する面発光領域より小さい。【選択図】図８
2017085404.tif 000002
【特許請求の範囲】
【請求項１】
透明部材に保持される原稿を照射する照明装置であって、
一方向に長尺な形状の面発光光源が、長尺方向に沿って複数の面発光領域に分割された光源を備え、
前記複数の面発光領域は、単位面積当たりの明るさが、長尺方向の中央部に位置する面発光領域がもっとも暗く、端部に近くなるに従い明るくなり、かつ、少なくとも一箇所の隣り合う二つの面発光領域において、端部側に位置する面発光領域から前記原稿を照射する面積が、中央部側に位置する面発光領域より小さい照明装置。
【請求項２】
前記端部側に位置する面発光領域は、前記長尺方向の長さが前記中央部側に位置する面発光領域より小さいことを特徴とする請求項１記載の照明装置。
【請求項３】
前記端部側に位置する面発光領域は、前記長尺方向に垂直な方向の長さが、前記中央部側に位置する面発光領域との境界に近い部分において、前記境界から遠い部分より狭くなるように形成されていることを特徴とする請求項１または２記載の照明装置。
【請求項４】
前記端部側に位置する面発光領域は、前記長尺方向に垂直な方向の長さが、前記中央部側に位置する面発光領域との境界に近い部分において、前記境界から遠い部分より狭くなるように、一部分が遮光物体で覆われていることを特徴とする請求項１乃至３のいずれか一項に記載の照明装置。
【請求項５】
前記長尺方向の最端部に位置する面発光領域の面積が、最も小さいことを特徴とする請求項１乃至４のいずれか一項に記載の照明装置。
【請求項６】
請求項１乃至５のいずれか一項に記載の照明装置を備える画像読取装置。
【発明の詳細な説明】
【技術分野】
【０００１】
本発明は、照明装置及び画像読取装置に関する。
【背景技術】
【０００２】
次世代光源として、有機エレクトロルミンネッセンス（Organic electro luminescence、以降適宜、「有機ＥＬ」と記載する）を用いる照射系が近年脚光を浴びている。
複写機向け照明としては長らくＬＥＤ（light emitting diode）が用いられていたが、ＬＥＤが点発光に近い発光デバイスなのに対し、有機ＥＬ照明は面発光デバイスとなるため、照明系の構成に差が生じる。
大きく異なるのは、読取光学系における周辺光量減少への補正方法である。これは、画像を読み取る際に、撮像方向（主走査方向）において、中心部に比べ周辺部（端部）では光量が減少しているため、光量の差異を補正するように照射系を構成する方法である。照射系にＬＥＤを用いる場合、ＬＥＤを、撮像方向中心部では疎に、両端部では密に配置することによって、中心部と比較し両端部を明るくする。これにより、読取光学系に用いられるレンズによる周辺光量減少を補正し、撮像素子上で照度が均一にすることが可能となる（例えば、特許文献１）。
【０００３】
照射系に有機ＥＬを用いる場合、周辺光量補正手段としては、撮像方向中央部の発光面幅に対し、両端部の発光面幅を広げることで周辺光量減少を補正することは既に知られている。
例えば、特許文献２には、周辺光量減少補正の目的で、発光面幅を変化させる有機ＥＬを用いた照明装置が開示されている。この技術では、発光面を扇状に形成し、中央部と周辺部の発光面積幅を変えることにより、中央部と比較し周辺部の照度を上げることを可能にする。また、特許文献３には、扇型に形成した２つの有機ＥＬ面発光光源を上下に並べ、それぞれを曲げて、開口部を形成して照明ユニットを形成することにより、シート状発光源の長手方向における中心部と周辺部の光量を変化させる照明装置が開示されている。
【発明の概要】
【発明が解決しようとする課題】
【０００４】
しかし、特許文献２、３に開示された発光面幅変更による周辺光量減少補正方法では、曲げ加工が必要になるなど光源形状が複雑になってしまう。
【０００５】
本発明は、単純な構成で読取光学系の周辺光量減少補正が可能な照明装置を提供することを目的とする。
【課題を解決するための手段】
【０００６】
上述した課題を解決するために、本発明に係る照明装置の一態様は、透明部材に保持される原稿を照射する照明装置であって、一方向に長尺な形状の面発光光源が、長尺方向に沿って複数の面発光領域に分割された光源を備える。複数の面発光領域は、単位面積当たりの明るさが、長尺方向の中央部に位置する面発光領域がもっとも暗く、端部に近くなるに従い明るくなり、かつ、少なくとも一箇所の隣り合う二つの面発光領域において、端部側に位置する面発光領域から原稿を照射する面積が、中央部側に位置する面発光領域より小さいことを特徴とする。
【発明の効果】
【０００７】
本発明によれば、単純な構成で読取光学系の周辺光量減少補正が可能な照明装置を提供することができる。
【図面の簡単な説明】
【０００８】
【図１】従来の複写機の構成例について説明する図である。
【図２】図１の画像読取装置について説明する図である。
【図３】読取光学系における一般的な周辺光量減少について説明する図である。
【図４】読取光学系における一般的な周辺光量減少補正について説明する図である。
【図５】従来のＬＥＤ照明装置における周辺光量減少補正について説明する図である。
【図６】従来の実施例における有機ＥＬを用いた照明装置の周辺光量減少補正について説明する図である。
【図７】一実施形態における有機ＥＬ光源を用いた照明装置の副走査方向に沿った断面を説明する図である。
【図８】実施形態１に基づく、複数の面発光領域に分割された有機ＥＬ光源について説明する図である。
【図９】実施形態１に基づく、有機ＥＬ光源の各面発光領域における発光光量について説明する図である。
【図１０】実施形態１に基づく、原稿面上及びセンサ面上における照度分布について説明する図である。
【図１１】実施形態２に基づく、有機ＥＬ光源の各面発光領域における発光光量について説明する図である。
【図１２】実施形態２に基づく、センサ面上における照度分布について説明する図である。
【図１３】実施形態３に基づく、複数の面発光領域に分割された有機ＥＬ光源について説明する図である。
【図１４】実施形態３に基づく、有機ＥＬ光源の各面発光領域における発光光量について説明する図である。
【図１５】実施形態３に基づく、センサ面上における照度分布について説明する図である。
【発明を実施するための形態】
【０００９】
以下、実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
一実施形態の照明装置は、原稿面を走査し、画像取得を行う画像読取装置に搭載され、原稿面を照射する装置であり、少なくとも面発光光源を備える。まず、一実施形態の照明装置を搭載する画像読取装置に関連する、従来の複写機及び画像読取装置の構成例を説明する。
【００１０】
図１は、従来の複写機の構成例について説明する図である。
複写機１０は、自動原稿搬送装置１１、給紙部１２、画像読取装置（画像読取部）１３、及び画像形成部１４を備える。
自動原稿搬送装置１１は、原稿トレイ１６に載置された原稿を給紙ローラや分離ローラ等の各種ローラからなる分離給紙手段１７によって透明部材としてのコンタクトガラス１５上に搬送し、読取りが終了した原稿を搬送ベルト１８によってコンタクトガラス１５上から搬出した後、各種排紙ローラからなる排紙手段１９によって排紙トレイ２０に排紙する。
また、原稿の両面を読取る場合には、排紙手段１９に設けられた分岐機構及び搬送ベルト１８によって原稿をコンタクトガラス１５上に返送して未読取面の読取りを行う。
【００１１】
給紙部１２は、異なるサイズの記録媒体としての記録紙を収納する給紙カセット２１ａ、２１ｂと、給紙カセット２１ａ、２１ｂに収納された記録紙を転写位置まで搬送する各種ローラからなる給紙手段２２とを備える。
画像読取装置１３は、詳しくは後述するが、第１キャリッジ３５、第２キャリッジ３６を図１中、左右方向（副走査方向）に駆動して光源により原稿面に光を照射して原稿面を読取り、この読取光をミラーで反射した後、レンズユニット３７によってＣＣＤ（Charge-Coupled Device）等の画像読取センサに取り込むように構成される。
【００１２】
画像形成部１４は、露光装置２３、複数の感光体ドラム２４、複数の現像装置２５、転写ベルト２６、及び定着装置２７を備える。
露光装置２３は、レンズユニット３７に取り込まれた読取信号に基づいて書き込み信号を形成する。
複数の感光体ドラム２４は、露光装置２３によって生成された書き込み信号が表面に形成される。
現像装置２５は、シアン、マゼンタ、イエロー、ブラックとそれぞれ異なる色のトナーが充填され、各感光体ドラム２４に異なる色のトナーを供給して書き込み信号を可視像化させる。
転写ベルト２６は、各感光体ドラム２４上に形成された可視像が重ねられて転写されることによりカラー画像が形成され、このカラー画像を給紙部１２から給紙された記録紙に転写する。
定着装置２７は、記録紙に定着されたカラー画像を記録紙に定着させる。
【００１３】
図２は、図１の画像読取装置１３について説明する図である。
画像読取装置１３は、コンタクトガラス１５、本体フレーム３１、第１キャリッジ３５、第２キャリッジ３６、レンズユニット３７、及び撮像素子５７を少なくとも備える。また、図示していないが、駆動レール、プーリー、モーター、ワイヤ、そしてこれらを保持する構造体を備えている。
第１キャリッジ３５は、ＬＥＤ４３、ＬＥＤ４３を実装する基板５１、透明材料からなる導光体４０３から成る照射系、及び反射ミラー４４ａからなり、第２キャリッジ３６は２枚の反射ミラー４４ｂ及び４４ｃから成る。読取光学系は、反射ミラー４４ａ、４４ｂ、４４ｃ、レンズユニット３７、及び撮像素子５７から構成される。
照射系を構成する各部品（ＬＥＤ４３、基板５１、導光体４０３）、各反射ミラー４４ａ、４４ｂ、４４ｃ、または撮像素子５７は、図２の垂直方向に長尺な形状、もしくは連続的配置されている。なお、この垂直方向を「主走査方向」と呼ぶ。
読取対象の原稿はコンタクトガラス１５上に保持される。
【００１４】
照射系は、その原稿面上を主走査方向に照射する。その照射領域からの反射光は、読取光学系において、各反射ミラー４４ａ、４４ｂ、４４ｃで反射され、レンズユニット３７に入射し、撮像素子５７上に集光・結像され、線状の画像データとして取得される。
面状の画像データを取得するには、読取対象面上において、主走査方向とは垂直方向に移動しつつ線状の画像データを連続的取得すればよい。主走査方向とは垂直の移動方向を「副走査方向」と呼ぶ。
画像読取装置１３においては、第１キャリッジが移動すればよいが、原稿面とレンズユニット３７及び撮像素子５７間の距離が変化しないように第２キャリッジを移動させることで、撮像素子５７で得られる画像データがボケることなく良好な面状の画像データを得ることが可能となる。
【００１５】
次に、周辺光量減少とその補正について説明する。
図３は、読取光学系における一般的な周辺光量減少について説明する図である。
図３は、レンズユニット３７の半画角を３０°とした場合の、原稿面上での主走査方向の照度分布（点線）と画像読取センサ上での主走査方向の照度分布（実線）とを表したグラフである。ただし、いずれの照度分布も主走査方向中心の照度を“１”とした場合の相対値で表す。また、ここでは原稿面上での照度が主走査方向で完全に均一であることを前提としている。主走査位置は、主走査方向中心をゼロとした値である。
図３に示すように、原稿面からの反射光が、レンズユニット３７を透過し、ＣＣＤ等の画像読取センサ上に結像する像の明るさは、主走査方向上で均一にはならず、結像位置に応じて減少してしまう。詳細には、画像読取センサ上における主走査端部（主走査位置が±１５３ｍｍ）の照度は、主走査中央部と比較し６０％以下となっている。
【００１６】
図４は読取光学系における一般的な周辺光量減少補正について説明する図である。
図４は、図３と同様に、レンズユニット３７の半画角を３０°とした場合の、原稿面上での主走査方向の照度分布（点線）と画像読取センサ上での主走査方向の照度分布（実線）を表したグラフであり、照度分布は主走査方向中心の照度を“１”とした場合の相対値である。また、図４は、あらかじめ原稿面上での照度を、主走査方向両端部が主走査方向中央部より明るい照度分布になるように構成した照明装置を用いて測定した結果を示す。
図４に示すように、画像読取センサ上に結像する像の明るさは、周辺光量減少を補正するように構成された照明装置を用いることにより、主走査方向上で均一とすることが可能になる。従って、画像読取装置が備える照明系は、周辺光量減少を補正するように構成される。
【００１７】
次に、従来の照明装置及び一実施形態の周辺光量減少補正を実施する照明装置について説明する。
図５は、従来のＬＥＤ照明装置における周辺光量減少補正について説明する図であり、特許文献１におけるＬＥＤのような点発光光源における周辺光量減少補正方法を一例として示している。図５に示すＬＥＤ照明装置では、図の上下方向が主走査方向であるが、複数のＬＥＤ３０２は、主走査方向中央部では疎に、主走査方向端部では密に、ＬＥＤ基板３０３ａ、３０３ｂへ配列されている。
ＬＥＤ１個あたりの発光光量は小さく、原稿面を照射する照明装置には数十個のＬＥＤを搭載するため、複数のＬＥＤ３０２を疎密に配置することにより照度分布を作ることが可能である。しかしながら、有機ＥＬを用いる面発光光源ではこの技術を適用することはできない。
【００１８】
図６は、従来の実施例における有機ＥＬを用いた照明装置における周辺光量減少補正について説明する図である。図６では、特許文献３における有機ＥＬのような面発光光源による周辺光量減少補正方法を一例として示している。図６に示す照明装置では、主走査方向中心部の発光面幅を狭め、主走査方向端部の発光面幅を広げることで、主走査方向両端部が主走査方向中央部に対し明るくなるような照度分布にすることが出来る。しかしながら、図６の照明装置では、照明系の大型化や有機ＥＬ光源形状の複雑化を招いてしまう。
【００１９】
そこで、一実施形態の照明装置は、複雑な機構を有することなく、単純な構成で読取光学系の周辺光量減少を補正することを可能にするため、以下の特徴を備える。
一実施形態の照明装置は、長尺な形態をした面発光光源が長尺方向に沿って複数の面発光領域に分割された光源を、少なくとも備える。加えて、各面発光領域は、単位面積当たりの発光量が異なっており、長尺方向の中央部に位置する面発光領域がもっとも発光量が少なく、長尺方向の端部に向かうに従い発光量が多くなるように構成される。さらに加えて、複数の面発光領域は、少なくとも一箇所の隣り合う二つの面発光領域において、端部側に位置する面発光領域から原稿を照射する面積が、中央部側に位置する面発光領域より小さくなるように構成される。
以下、一実施形態の照明装置について図面を参照して説明する。
【００２０】
図７は一実施形態における有機ＥＬ光源を用いた照明装置の副走査方向に沿った断面を説明する図である。
照明装置７００は、光源７０１ａ、７０１ｂ（区別しないときは適宜「光源７０１」と記載する）及び構造体７０２ａ、７０２ｂ（区別しないときは適宜「構造体７０２」と記載する）を備える。また、図７では、照明装置７００に加え、読取光学系の光軸７９０と、原稿を保持するコンタクトガラス（透明部材）８０１とを示す。
光源７０１ａ、７０１ｂは有機ＥＬ光源であり、読取光学系の光軸７９０を挟んで配置されている。これらの光源はコンタクトガラス８０１上に配置される原稿を照射する。また、光源７０１ａ、７０１ｂは上述した特徴を有するように形成される。
構造体７０２ａ、７０２ｂは、光源７０１ａ、７０１ｂを保持する。
図７の構成例では読取光学系の光軸７９０を挟んで２つ光源７０１ａ、７０１ｂを配置したが、いずれか一方の光源はミラーもしくはリフレクタへ変えても良い。
【００２１】
図７で示した照明装置は、図２に示す画像読取装置１３が備えるＬＥＤ４３、基板５１、及び導光体４０３で構成される照明系に相当するものであり、コンタクトガラス８０１は、図１、２で示したコンタクトガラス１５に対応する。
なお、図７では、一実施形態の照明装置７００の説明を容易にするため、光軸７９０及びコンタクトガラス８０１を表しているが、これらは一実施形態の照明装置７００における構成要素として必要なものではない。また、一実施形態の照明装置７００では導光体を用いることなく照明系を構成することが可能である。
さらに、構造体７０２は、一例を示したものであり、光源７０１を保持、固定できるものであれば他の形状であってもよく、照明装置の筐体等が構造体７０２として機能するように形成されていてもよい。従って、必ずしも構造体７０２を構成要素として備える場合に限られるものではない。
本明細書では有機ＥＬ光源の構成について、詳細な説明を省略するが、一般的な有機ＥＬを用いればよく、例えば、特許文献２，３に記載された有機ＥＬを用いることができる。
以下、各実施形態の光源の構成例を説明する。
【００２２】
実施形態１．
図８は、実施形態１における複数の面発光領域に分割された有機ＥＬ光源（光源７０１）を説明する図である。
当該有機ＥＬ光源は長尺方向の長さ３１４．６ｍｍ、長尺方向と垂直な方向の長さ６ｍｍである。また、有機ＥＬ光源は１１個の領域に長尺方向に沿って分割されており、１つの領域の幅は２８．６ｍｍである。
図８では分割された複数の面発光領域を分かり易くするため、各面発光領域間に間隔を設けて表しているが、照度分布を算出するための計算では間隔を０（ゼロ）として計算を行っている。
【００２３】
図９に、実施形態１における有機ＥＬ光源の各面発光領域における発光光量比を表す。
本実施形態では、主走査中心（主走査方向の中心、第０領域の中心）に対し左右対称な構成であることを前提としているため、片側５領域（第１〜第５領域）と１つの中心領域（第０領域）のみ表している。
図９において、「主走査位置」とは、第０領域の中心位置から各面発光領域の中心位置までの長さを、「主走査幅」とは各面発光領域の長尺方向の幅（主走査方向の長さ）を、「副走査幅」とは各面発光領域の長尺方向とは垂直方向の幅（副走査方向の長さ）を、「発光光量比」とは各面発光領域の単位面積当たりの発光光量を、第０領域の発光光量を“１”とした相対値で表したしたものである。
【００２４】
図９に示すように、周辺領域における単位面積あたりの発光光量は主走査方向の端部に向かうに従い上昇していることが分かる。
有機ＥＬ光源の単位面積あたりの発光光量を上げる手段としては、例えば、各面発光領域に印加する電力量を変えることが可能な構成とすることにより、発光量を変化させる。
また、有機ＥＬ素子は透明なガラスやフィルムに付与することも可能なため積層することが可能であり、領域ごとに積層する枚数を変化させ、単位面積あたりの発光光量を変えることも可能である。
【００２５】
図１０は、実施形態１に基づく、原稿面上及びセンサ面上における照度分布について表したグラフであり、原稿面照度を実線、センサ面照度を点線で表している。
読取光学系に用いられるレンズは、原稿面の像を縮小してセンサ面上へ結像させるが、このグラフでは分かり易さのために、横軸を結像位置ではなく、それに対応する原稿面上での位置とし、主走査位置で表している。
図１０に示すようにセンサ面上での照度が均一に近づいていることが分かる。このように、実施形態１の有機ＥＬ光源を、照明装置に適用することにより、簡易な構成で読取光学系における周辺光量減少を補正することが可能になる。
【００２６】
また、図１０では、第０領域の中心位置から主走査方向に約１３０ｍｍ離れた位置（以降「主走査位置±１３０ｍｍ付近」と記載する）でやや強めのリップルが発生している。リップルを抑制するためにはリップルが発生する領域の面積を、隣り合う中央部側の領域より小さくすることが好ましいことが見出せる。本実施形態では、第５領域でリップルが発生していることから、第５領域において、有機ＥＬ光源が発光し、コンタクトガラス８０１に保持された原稿に到達する発光光量を、第４領域より小さくすることが好ましい。図８乃至１０に示す実施形態では、長尺方向の最端部に位置する面発光領域から原稿を照射する面積を、最も小さくすることが好ましいといえる。
【００２７】
なお、複数の面発光領域のうち、どの領域の面積を小さくするかについては、有機ＥＬ光源に応じてリップルが発生する領域に基づいて選択することが好ましく、最端部の面発光領域に限られるものではない。また、図１０では主走査中心から主走査方向の両側にリップルが発生している例を示したが、主走査方向の片側の面発光領域のみに発生する場合には、一方の面発光領域の面積を小さくすればよい。
従って、複数の面発光領域のうち、少なくとも一箇所の隣り合う二つの面発光領域において、端部側に位置する面発光領域（リップルが発生する面発光領域）から原稿を照射する面積が、中央部側に位置する面発光領域（リップルが発生する面発光領域と中央部側で隣接する領域）より小さくすることが好ましい。
端部側に位置する面発光領域から原稿を照射する面積を小さくし、当該面発光領域からの発光光量を削減する手段としては、例えば、面発光領域の面積を削減すること、光がコンタクトガラス８０１に保持された原稿に到達しないように面発光領域の一部に遮光物体を配置して覆いをする（マスクする）こと、などを用いることができる。このような手段によれば、面発光領域の単位面積当たりの発光光量を変更することなく、リップルへの対応をとることが可能になる。
このように、任意の面発光領域から原稿を照射する面積を削減することによりリップルの発生を抑制できるため、センサ面上での照度をより均一にできるという有利な効果が期待できる。
【００２８】
実施形態２．
図１１に、実施形態２における有機ＥＬ光源の各面発光領域における発光光量比を表す。
本実施形態では、主走査中心に対し左右対称な構成であることを前提としているため、片側５領域（第１〜第５領域）と１つの中心領域（第０領域）のみ表している。
図１１に示す、用語「主走査位置」、「主走査幅」、「副走査幅」、及び「発光光量比」については図９と同様であるため説明を省略する。
実施形態１と異なるのは、主走査方向（長尺方向）最端部に位置する第５領域の主走査方向の幅が、他の領域と比較し短くなり、面発光光源の面積が小さくなっている点である。第５領域の主走査幅を短くした結果、他の領域の主走査幅は実施形態１より長くなっている。各面発光領域の単位面積あたりの発光光量は実施形態１と同一である。
【００２９】
図１２は、実施形態２に基づく、センサ面上における照度分布について表したグラフである。なお、比較のため、実施形態１に基づく、センサ面上における照度分布を点線で表している。
図１２に示すように、実施形態１で顕著に現れていた主走査位置±１３０ｍｍ付近に現れていたリップルが小さくなっており、より平坦な照度分布が得られている。
このように、実施形態２では、端部側に位置する面発光領域（リップルが発生した領域）の長尺方向の長さを、中央部側に位置する面発光領域より小さくするという、簡易な構成の有機ＥＬ光源を用いて、実施形態１に比べセンサ面上での照度をより均一にすることができる。
図１１では、最端部領域（第５領域）の主走査幅を縮小する例を示したが、有機ＥＬ光源の特性に応じて、複数の面発光領域のうち、長尺方向の端部側に位置する複数の領域の主走査幅を、より端部側に位置する領域においてより小さくなるように、段階的に狭める構成をとってもよい。
【００３０】
実施形態３．
図１３は実施形態３に基づく、複数の面発光領域に分割された有機ＥＬ光源の図である。実施形態１との違いは、第５領域において第４領域と隣接している位置（隣接する領域との境界）から主走査方向（長尺方向）３ｍｍだけ、長尺方向と垂直な方向の発光面幅（副走査幅）が４ｍｍと狭くなっている点である。
図１４に、実施形態３に基づく、有機ＥＬ光源の各面発光領域における発光光量比を表す。
本実施形態では、主走査中心に対し左右対称な構成であることを前提としているため、片側５領域（第１〜第５領域）と１つの中心領域（第０領域）のみ記載している。
図１４に示す、用語「主走査位置」、「主走査幅」、「副走査幅」、及び「発光光量比」については図９と同様であるため説明を省略する。第５領域ａ、ｂは、発光光量比が同じで、面発光光源の面積が異なる構成である。
【００３１】
図１５は、実施形態３に基づく、センサ面上における照度分布について表したグラフである。比較のため、実施形態１に基づく、センサ面上における照度分布を点線で表している。
図１５に示すように、実施形態１で顕著に現れていた主走査位置±１３０ｍｍ付近に現れていたリップルが小さくなっており、より平坦な照度分布が得られている。
図１５に示す照度分布を算出するために行ったシミュレーションでは、面発光領域の副走査幅（発光面幅）を狭めることで計算を行っているが、発光面幅を狭めなくても、なんらかの遮光物体を配置しても良い。この場合、例えば有機ＥＬ光源を固定する構造体と兼ねるとより望ましい。
【００３２】
このように、実施形態３では、端部側に位置する面発光領域は、長尺方向に垂直な方向の長さを、中央部側に位置する面発光領域との境界に近い部分において、境界に遠い部分より狭くなるように形成される。これにより、簡易な構成の有機ＥＬ光源を用いて、実施形態１に比べセンサ面上での照度をより均一にすることが可能になる。
なお、上記実施形態では、副走査幅を均一に小さくする例を示したが、段階的に小さくする構成（例えば、面発光領域にテーパーを形成する、階段状に副走査線幅を小さくするなど）により、中央部側に位置する面発光領域との境界に近い部分の面積を小さくする構成であってもよい。
また、図１３、１４では、最端部領域（第５領域）の副走査幅を縮小する例を示したが、有機ＥＬ光源の特性に応じて、複数の面発光領域のうち、長尺方向の端部側に位置する複数の領域の副走査幅を、より端部側に位置する領域においてより小さくなるように、段階的に狭める構成をとってもよい。
【００３３】
その他の実施形態
上述した実施形態２と実施形態３とを組み合わせることは可能であり、より効果的にリップルを除去することができる。
また、上記各実施形態では、第５領域、または、第４領域と第５領域との境界領域にて発光光量を削減する構成例を示したが、他の領域へ適用しても良く、複数の面発光領域のうち、二以上の面発光領域において、上記各実施形態のいずれかまたはこれらを組み合わせて適用し、面積を縮小するように構成してもよい。例えば、複数の発光面領域の面積を変更する場合に、実施の形態２と実施の形態３とを組み合わせ、あるいは、発光面積を縮小する手段と、実施形態３に記載した、遮光物体を配置して発光面幅を狭くする手段とを組み合わせてもよい。
さらに、上記各実施形態の照明装置は、原稿面を走査し、画像取得を行う画像読取装置、例えば、図１、２に示す画像読取装置に搭載され、読取対象となる原稿を照射することができる。この場合にも、上記各実施形態で説明した有利な効果を奏することができる。
【００３４】
以上説明したように、上記各実施形態の照明装置は、一方向に長尺な形状を持つ面発光光源を備え、面発光光源は、長尺方向に分割されて複数の面発光領域が形成され、各面発光領域における単位面積当たりの発光量が変化するように構成され、長尺方向の中央部がもっとも暗く、両端方向に位置するに従い順次明るくなるように構成される。これにより、複雑な機構を用いることなく読取光学系の周辺光量減少を補正することを可能にする。さらに、面発光光源は、隣接する面発光領域において、端部側に位置する面発光領域から原稿を照射する面積が、中央部側に位置する面発光領域より小さくなるように構成する領域を含む。これにより、読取光学系の周辺光量減少後の光量の平坦性をより高くすることができる。
なお、本発明は上記に示す実施形態に限定されるものではない。本発明の範囲において、上記実施形態の各要素を、当業者であれば容易に考えうる内容に変更、追加、変換することが可能である。
【符号の説明】
【００３５】
１０  複写機
１１  自動原稿搬送装置
１２  給紙部
１３  画像読取装置（画像読取部）
１４  画像形成部
１５  コンタクトガラス
１６  原稿トレイ
１７  分離給紙手段
１８  搬送ベルト
１９  排紙手段
２０  排紙トレイ
２１ａ、２１ｂ  給紙カセット
２２  給紙手段
２３  露光装置
２４  感光体ドラム
２５  現像装置
２６  転写ベルト
２７  定着装置
３１  本体フレーム
３５  第１キャリッジ
３６  第２キャリッジ
３７  レンズユニット
４３  ＬＥＤ
４４ａ、４４ｂ、４４ｃ  反射ミラー
５１  基板
５７  撮像素子
４０３  導光体
７００  照明装置
７０１ａ、７０１ｂ  光源
７０２ａ、７０２ｂ  構造体
７９０  光軸
８０１  コンタクトガラス
【先行技術文献】
【特許文献】
【００３６】
【特許文献１】特開２０１３−９０９９号公報
【特許文献２】特開２００９−１９４７３８号公報
【特許文献３】特開２００９−０５３２４１号公報
【図１】
2017085404.tif 000003
【図２】
2017085404.tif 000004
【図３】
2017085404.tif 000005
【図４】
2017085404.tif 000006
【図５】
2017085404.tif 000007
【図６】
2017085404.tif 000008
【図７】
2017085404.tif 000009
【図８】
2017085404.tif 000010
【図９】
2017085404.tif 000011
【図１０】
2017085404.tif 000012
【図１１】
2017085404.tif 000013
【図１２】
2017085404.tif 000014
【図１３】
2017085404.tif 000015
【図１４】
2017085404.tif 000016
【図１５】
2017085404.tif 000017